(57)【要約】 【課題】  昼夜に囚われず触媒効果を得ることにより、室内を消臭、抗菌、浄化することができる蛍光灯照明器具を提供する。  【解決手段】  蛍光灯ランプ２と、蛍光灯ランプ２の片側に位置し、蛍光灯ランプ２からの光を反射する反射板３とを備えてなる蛍光灯照明器具１において、反射板３の表面上の少なくとも一部の領域に、可視光応答型酸化チタン、リン酸チタニア化合物およびシリカを含む複合光触媒塗料を塗布する。【選択図】          図１
0003109843.tif 000002
【実用新案登録請求の範囲】
【請求項１】
蛍光灯ランプと、該蛍光灯ランプの片側に位置し、該蛍光灯ランプからの光を反射する反射板とを備えてなる蛍光灯照明器具において、
前記反射板の表面上の少なくとも一部の領域に、可視光応答型酸化チタン、リン酸チタニア化合物およびシリカを含む複合光触媒塗料が塗布されていることを特徴とする蛍光灯照明器具。
【請求項２】
前記複合光触媒塗料が、銀イオン及び／又はホウ素を含むものであることを特徴とする請求項１に記載の蛍光灯照明器具。
【請求項３】
前記複合光触媒塗料が、酸化亜鉛、酸化スズおよび酸化セリウムから選ばれる少なくとも一つを含むものであることを特徴とする請求項１記載の蛍光灯照明器具。
【請求項４】
前記複合光触媒塗料が、酸化亜鉛、酸化スズおよび酸化セリウムから選ばれる少なくとも一つを含むものであることを特徴とする請求項２記載の蛍光灯照明器具。
【請求項５】
前記複合光触媒塗料が、アンチモンスズ酸化物及び／又はインジウムスズ酸化物を含むものであることを特徴とする請求項１記載の蛍光灯照明器具。
【請求項６】
前記複合光触媒塗料が、アンチモンスズ酸化物及び／又はインジウムスズ酸化物を含むものであることを特徴とする請求項２記載の蛍光灯照明器具。
【請求項７】
前記複合光触媒塗料が、アンチモンスズ酸化物及び／又はインジウムスズ酸化物を含むものであることを特徴とする請求項３記載の蛍光灯照明器具。
【請求項８】
前記複合光触媒塗料が、アンチモンスズ酸化物及び／又はインジウムスズ酸化物を含むものであることを特徴とする請求項４記載の蛍光灯照明器具。
【考案の詳細な説明】
【技術分野】
【０００１】
本考案は、複合光触媒塗料がコーティングされた照明器具に関するものである。
【背景技術】
【０００２】
従来、消臭や防汚、抗菌を行なうために光触媒膜を用いることが知られている。この光触媒膜の中でも、特に触媒作用の強い酸化チタンは様々な商品に利用され、実用化されている。
【０００３】
酸化チタンはそのバンドギャップ以上のエネルギーを持つ光（一般に紫外線）が照射されると、その光を吸収して励起され、強い還元作用を持つ電子と強い酸化作用を持つ正孔を生成する。この生成された電子と正孔の粒子表面に細菌、悪臭ガス、有機物等の成分分子が接触すると、そこで電子の授受が行なわれ、酸化還元作用によりその成分分子は酸化、あるいは還元して分解される。
【０００４】
したがってこの原理を照明器具に利用すれば、照明器具の光源から発生された紫外線によって光触媒の酸化還元反応が促進され、室内空気中の臭気成分、あるいは環境汚染物質を分解して室内空気を清浄化することが可能である。
【０００５】
かかる原理を利用した照明器具としては、例えば特許文献１に記載されているように、光源を収納するカバー体などの基体の内面に光触媒膜を形成することにより、照明機能を有しながら、光源からの紫外線を含む光を光触媒膜に照射し、消臭、抗菌効果を得る方法などが知られている。
【特許文献１】特開平７−１１１１０４号公報
【考案の開示】
【考案が解決しようとする課題】
【０００６】
しかしながら、上記のような従来の照明器具では、光触媒効果は光がない暗所では作用しないため、日が沈み、消灯している際は、消臭、抗菌効果を得ることができないといった問題がある。
【０００７】
本考案は上記の問題に鑑みてなされたものであり、昼夜に関係なく触媒効果を得ることにより室内を消臭、抗菌、浄化することができる蛍光灯照明器具を提供することを目的とするものである。
【課題を解決するための手段】
【０００８】
本考案の蛍光灯照明器具は蛍光灯ランプと、該蛍光灯ランプの片側に位置し、該蛍光灯ランプからの光を反射する反射板とを備えてなる蛍光灯照明器具において、
前記反射板の表面上の少なくとも一部の領域に、可視光応答型酸化チタン、リン酸チタニア化合物およびシリカを含む複合光触媒塗料が塗布されていることを特徴とするものである。
【０００９】
ここで、可視光応答型酸化チタンとは紫外線と５５０ナノメートルまでの可視光線に対応し、光触媒作用によって、消臭、抗菌、防カビ、および揮発性汚染化学物質の分解除去を永続的に行なう特性を有し、分解による副生物が環境に無害な物質である。
【００１０】
リン酸チタニア化合物とは酸素と水によって有機物質を水と炭酸ガスに分解する触媒であり、強い酸化力で消臭、抗菌、防カビおよび揮発性汚染化学物質の分解除去を永続的に行なう特性を有し、分解による副生物が環境に無害な物質である。
【００１１】
シリカとは接着強度の強い物質である。
【００１２】
また、前記複合光触媒塗料が、抗菌、防カビ効果を強化する物質である銀イオン及び／又はホウ素を含むものであることが好ましい。
【００１３】
さらに、前記複合光触媒塗料が、抗菌、消臭および防カビ効果を強化する物質である酸化亜鉛、酸化スズおよび酸化セリウムから選ばれる少なくとも一つを含むものであることが好ましい。
【００１４】
さらにまた、前記複合光触媒塗料が、赤外線吸収金属酸化物であり、結露発生抑制を強化する物質であるアンチモンスズ酸化物及び／又はインジウムスズ酸化物を含むものであることが好ましい。
【考案の効果】
【００１５】
本考案の蛍光灯照明器具は、反射板の表面上の少なくとも一部の領域に、可視光応答型酸化チタン、リン酸チタニア化合物およびシリカを含む複合光触媒塗料が塗布されているので、シリカによって複合光触媒塗料と反射板との接着強度が強まり、光が照射しているときは可視光応答チタン、リン酸チタニア化合物の触媒作用が機能し、光が当たらない場所や夜間消灯時はリン酸チタニア化合物の触媒作用が機能することによって、昼夜に囚われず触媒効果を得ることができ、室内を消臭、抗菌、浄化することができる。
【００１６】
また、複合光触媒塗料が銀イオン及び／又はホウ素を含むものである場合には抗菌、防カビ効果を強化することができる。
【００１７】
さらに複合光触媒塗料が酸化亜鉛、酸化スズおよび酸化セリウムから選ばれる少なくとも一つを含むものである場合には、抗菌、消臭および防カビ効果を強化することができる。
【００１８】
さらに複合光触媒塗料がアンチモンスズ酸化物及び／又はインジウムスズ酸化物を含むものである場合には結露発生抑制が強化されて、結露発生によるカビの発生、ダニの発生およびダニの死骸によるアトピー性皮膚炎などのアレルギー症の発症を改善することができる。
【考案を実施するための最良の形態】
【００１９】
以下、本考案による蛍光灯照明器具の実施形態について、図面を参照して詳細に説明する。
【００２０】
図１は、本考案が適用される一実施形態の蛍光灯照明器具の斜視図である。
【００２１】
この蛍光灯照明器具１は平行に並んだ２本の直線形蛍光灯ランプ２と、この蛍光灯ランプ２の上方に位置し、蛍光灯ランプ２からの光を反射する反射板３とを備えている。なお反射板３は蛍光灯ランプ２からの光が直接照射する面を内面３１、蛍光灯ランプ２からの光が直接当たらない面を外面３２とする。
【００２２】
反射板３の内面３１と外面３２を含む表面上の全部の領域には、複合光触媒塗料が塗布されている。この複合光触媒塗料は可視光応答型酸化チタン、リン酸チタニア化合物、シリカ、銀イオン、ホウ素、酸化亜鉛、酸化スズ、酸化セリウム、アンチモンスズ酸化物およびインジウムスズ酸化物を含むものとする。
【００２３】
ここで、本実施形態の蛍光灯照明器具では、反射板３の表面上の全部の領域に複合光触媒塗料を塗布したが、例えば複合光触媒塗料の使用量を抑えてコストを削減するために内面３１のみに塗布しても良いし、内面３１の一部のみに塗布しても良い。また、外面３２のみに塗布しても良いし外面３２の一部のみに塗布しても良い。すなわち、反射板３の表面上の少なくとも一部の領域に塗布されていれば良く、塗布する領域については制限されるものではない。
【００２４】
また、複合光触媒塗料は可視光応答型酸化チタン、リン酸チタニア化合物およびシリカを含むものであれば、銀イオン、ホウ素、酸化亜鉛、酸化スズ、酸化セリウム、アンチモンスズ酸化物およびインジウムスズ酸化物はいかなる組合せで含まれていても良いし、含まれていなくても良い。
【図面の簡単な説明】
【００２５】
【図１】本考案による蛍光灯照明器具の実施の形態の斜視図。
【符号の説明】
【００２６】
１  蛍光灯照明器具
２  蛍光灯ランプ
３  反射板
【図１】
0003109843.tif 000003